(57)【要約】【課題】直感的に出力サイズを算出することができる画像処理装置を提供する。【解決手段】対象を撮影する撮影部と、撮影画像４１を表示する操作パネル１１と、撮影画像４１内に原稿画像４２を移動及び拡縮可能に重畳させた掲示領域決定画面を操作パネル１１に表示させ、原稿画像４２の出力サイズを受け付ける表示画像制御部と、出力サイズに基づいて原稿画像４２を印刷する際の実サイズを算出する算出部と、原稿画像４２の印刷を行わせる画像形成装置から出力情報として記録紙の情報を収集する収集部と、実サイズ及び出力情報に基づき、実サイズを含むように複数の記録紙を並べた分割レイアウト５１を生成し、生成した分割レイアウト５１を原稿画像４２に重畳した分割レイアウト決定画面５０を操作パネル１１に表示させる生成部とを備えている。【選択図】図６
2018074444.tif 000002
【特許請求の範囲】
【請求項１】
複数の記録紙にそれぞれ印刷する分割画像に原稿画像を分割する画像処理装置であって、
対象を撮影する撮影部と、
該撮影部で撮影された撮影画像を表示する表示部と、
前記撮影画像内に前記原稿画像を移動及び拡縮可能に重畳させた掲示領域決定画面を前記表示部に表示させ、前記原稿画像の出力サイズを受け付ける表示画像制御部と、
前記出力サイズに基づいて前記原稿画像を印刷する際の実サイズを算出する実サイズ算出部と、
前記原稿画像の印刷を行わせる画像形成装置から出力情報として前記記録紙の情報を収集する収集部と、
前記実サイズ及び前記出力情報に基づき、前記実サイズを含むように複数の前記記録紙を並べた分割レイアウトを生成し、生成した前記分割レイアウトを前記原稿画像に重畳した分割レイアウト決定画面を前記表示部に表示させる生成部と、
前記分割レイアウトに基づき、前記原稿画像を前記分割画像に分割する分割部と、を具備することを特徴とする画像処理装置。
【請求項２】
前記収集部は、前記出力情報として前記記録紙の記録紙残量を収集し、
前記生成部は、前記記録紙残量内で分割レイアウトを生成することを特徴とする請求項１記載の画像処理装置。
【請求項３】
前記生成部は、前記収集部によって収集された前記記録紙のサイズと前記記録紙残量と前記表示部に一覧表示させることを特徴とする請求項２記載の画像処理装置。
【請求項４】
前記記録紙残量内で前記実サイズを含む前記分割レイアウトが生成不能である場合、前記生成部は、前記原稿画像を前記分割レイアウトと重畳されている領域を明確にする表示を行うことを特徴とする請求項２又は３記載の画像処理装置。
【請求項５】
前記生成部は、前記分割レイアウトに使用する前記記録紙のサイズと使用枚数とを前記表示部に一覧表示せることを特徴とする請求項１乃至４のいずれかに記載の画像処理装置。
【請求項６】
前記収集部は、前記出力情報として印刷に使用する消耗品残量を収集し、
前記生成部は、前記原稿画像を前記消耗品残量で印刷可能な領域を明確にする表示を行うことを特徴とする請求項１乃至５のいずれかに記載の画像処理装置。
【請求項７】
前記生成部は、前記分割レイアウト決定画面において前記分割レイアウトに対する変更指示を受け付け、前記変更指示に基づいて若しくは、自動的に、前記分割レイアウトの変更を実行し、変更した前記分割レイアウトを前記原稿画像に重畳して前記表示部に表示させ、
前記分割部は、変更された前記分割レイアウトに基づき、前記原稿画像を前記分割画像に分割することを特徴とする請求項１乃至４のいずれかに記載の画像処理装置。
【請求項８】
前記生成部は、ユーザーもしくは自動抽出によって指定された前記原稿画像内の指定領域が、前記分割レイアウトにおいて複数の前記記録紙に跨る場合、前記分割レイアウトに使用する前記記録紙のサイズを変更することを特徴とする請求項７記載の画像処理装置。
【請求項９】
前記生成部は、ユーザーもしくは自動抽出によって指定された前記原稿画像内の指定領域が、前記分割レイアウトにおいて複数の前記記録紙に跨る場合、前記分割レイアウトを移動することを特徴とする請求項７又は８記載の画像処理装置。
【請求項１０】
前記生成部は、前記分割レイアウト決定画面において前記原稿画像に対する編集指示を受け付け、前記編集指示に基づいて前記原稿画像の編集を実行し、編集した前記原稿画像に前記分割レイアウトを重畳して前記表示部に表示させ、
前記分割部は、前記分割レイアウトに基づき、編集された前記原稿画像を前記分割画像に分割することを特徴とする請求項１乃至９のいずれかに記載の画像処理装置。
【請求項１１】
前記生成部は、ユーザーもしくは自動抽出によって指定された前記原稿画像内の指定領域が、前記分割レイアウトにおいて複数の前記記録紙に跨る場合、前記原稿画像内の前記指定領域の配置を移動させることを特徴とする請求項１０記載の画像処理装置。
【請求項１２】
ユーザーの許可を得た後に前記原稿画像内の前記指定領域の配置を移動させることを特徴とする請求項１１記載の画像処理装置。
【請求項１３】
前記生成部は、前記分割レイアウト決定画面において前記原稿画像に対する色調調整指示を受け付け、前記色調調整指示に基づいて前記原稿画像の色調調整を実行し、色調調整した前記原稿画像に前記分割レイアウトを重畳して前記表示部に表示させ、
前記分割部は、前記分割レイアウトに基づき、編集された前記原稿画像を前記分割画像に分割することを特徴とする請求項１乃至１２のいずれかに記載の画像処理装置。
【請求項１４】
前記分割部は、前記分割画像のそれぞれについて白黒／カラーの自動判別を行うことを特徴とする請求項１乃至１３のいずれかに記載の画像処理装置。
【発明の詳細な説明】
【技術分野】
【０００１】
本発明は、印刷対象のドキュメントを出力サイズに合わせて拡大した後に、記録紙のサイズに合わせて分割する画像処理装置に関する。
【背景技術】
【０００２】
印刷対象の原稿画像を出力サイズに合わせて拡大した後に、記録紙のサイズに合わせた分割画像に分割し、分割した分割画像を複数の記録紙にそれぞれ出力することで、記録紙よりもサイズが大きい垂れ幕やポスターを印刷する技術が提案されている（例えば、特許文献１参照）。
【先行技術文献】
【特許文献】
【０００３】
【特許文献１】特開２０１５−１３８５０８号公報
【発明の概要】
【発明が解決しようとする課題】
【０００４】
しかしながら、従来技術では、ユーザーが出力サイズを調べておく必要があるが、出力サイズは、提示場所周辺の状況や、出力可能な記録紙のサイズや枚数によって左右されるため、出力サイズを事前に把握することは困難であるという問題点があった。
【０００５】
本発明は、上記問題点を鑑みてなされたものであり、その目的とするところは、直感的に出力サイズを算出することができる画像処理装置を提供することを目的とする。
【課題を解決するための手段】
【０００６】
本発明の画像処理装置は、複数の記録紙にそれぞれ印刷する分割画像に原稿画像を分割する画像処理装置であって、対象を撮影する撮影部と、該撮影部で撮影された撮影画像を表示する表示部と、前記撮影画像内に前記原稿画像を移動及び拡縮可能に重畳させた掲示領域決定画面を前記表示部に表示させ、前記原稿画像の出力サイズを受け付ける表示画像制御部と、前記出力サイズに基づいて前記原稿画像を印刷する際の実サイズを算出する算出部と、前記原稿画像の印刷を行わせる画像形成装置から出力情報として前記記録紙の情報を収集する収集部と、前記実サイズ及び前記出力情報に基づき、前記実サイズを含むように複数の前記記録紙を並べた分割レイアウトを生成し、生成した前記分割レイアウトを前記原稿画像に重畳した分割レイアウト決定画面を前記表示部に表示させる生成部と、前記分割レイアウトに基づき、前記原稿画像を前記分割画像に分割する分割部と、を具備することを特徴とする。
さらに、本発明の画像処理装置において、前記収集部は、前記出力情報として前記記録紙の記録紙残量を収集し、前記生成部は、前記記録紙残量内で分割レイアウトを生成しても良い。
さらに、本発明の画像処理装置において、前記生成部は、前記収集部によって収集された前記記録紙のサイズと前記記録紙残量と前記表示部に一覧表示させても良い。
さらに、本発明の画像処理装置において、前記記録紙残量内で前記実サイズを含む前記分割レイアウトが生成不能である場合、前記生成部は、前記原稿画像を前記分割レイアウトと重畳されている領域を明確にする表示を行っても良い。
さらに、本発明の画像処理装置において、前記生成部は、前記分割レイアウトに使用する前記記録紙のサイズと使用枚数とを前記表示部に一覧表示せても良い。
さらに、本発明の画像処理装置において、前記収集部は、前記出力情報として印刷に使用する消耗品残量を収集し、前記生成部は、前記原稿画像を前記消耗品残量で印刷可能な領域を明確にする表示を行っても良い。
さらに、本発明の画像処理装置において、前記生成部は、前記分割レイアウト決定画面において前記分割レイアウトに対する変更指示を受け付け、前記変更指示に基づいて前記分割レイアウトの変更を実行し、変更した前記分割レイアウトを前記原稿画像に重畳して前記表示部に表示させ、
前記分割部は、変更された前記分割レイアウトに基づき、前記原稿画像を前記分割画像に分割しても良い。
さらに、本発明の画像処理装置において、前記生成部は、ユーザーもしくは自動抽出によって指定された前記原稿画像内の指定領域が、前記分割レイアウトにおいて複数の前記記録紙に跨る場合、前記分割レイアウトに使用する前記記録紙のサイズを変更しても良い。
さらに、本発明の画像処理装置において、前記生成部は、ユーザーもしくは自動抽出によって指定された前記原稿画像内の指定領域が、前記分割レイアウトにおいて複数の前記記録紙に跨る場合、前記分割レイアウトを移動しても良い。
さらに、本発明の画像処理装置において、前記生成部は、前記分割レイアウト決定画面において前記原稿画像に対する編集指示を受け付け、前記編集指示に基づいて前記原稿画像の編集を実行し、編集した前記原稿画像に前記分割レイアウトを重畳して前記表示部に表示させ、前記分割部は、前記分割レイアウトに基づき、編集された前記原稿画像を前記分割画像に分割しても良い。
さらに、本発明の画像処理装置において、前記生成部は、ユーザーもしくは自動抽出によって指定された前記原稿画像内の指定領域が、前記分割レイアウトにおいて複数の前記記録紙に跨る場合、前記原稿画像内の前記指定領域の配置を移動させても良い。
さらに、本発明の画像処理装置において、ユーザーの許可を得た後に、前記原稿画像内の前記指定領域の配置を移動させても良い。
さらに、本発明の画像処理装置において、前記生成部は、前記分割レイアウト決定画面において前記原稿画像に対する色調調整指示を受け付け、前記色調調整指示に基づいて前記原稿画像の色調調整を実行し、色調調整した前記原稿画像に前記分割レイアウトを重畳して前記表示部に表示させ、前記分割部は、前記分割レイアウトに基づき、編集された前記原稿画像を前記分割画像に分割しても良い。
さらに、本発明の画像処理装置において、前記分割部は、前記分割画像のそれぞれについて白黒／カラーの自動判別を行っても良い。
【発明の効果】
【０００７】
本発明によれば、原稿画像を掲示した際のイメージを掲示領域決定画面で決定するだけで、直感的に出力サイズを算出することができるという効果を奏する。
【図面の簡単な説明】
【０００８】
【図１】本発明に係る画像処理装置の実施の形態の使用状況を示す図である。
【図２】図１に示す携帯端末の構成を示すブロック図である。
【図３】図１に示す画像形成装置の構成を示すブロック図である。
【図４】図１に示す携帯端末による画像処理動作を説明するフローチャートである。
【図５】図２に示す操作パネルに表示される掲示領域決定画面例を示す図である。
【図６】図２に示す操作パネルに表示される分割レイアウト決定画面例を示す図である。
【図７】図２に示す操作パネルに表示される分割レイアウト決定画面例を示す図である。
【図８】図２に示す操作パネルに表示される分割レイアウト決定画面例を示す図である。
【図９】図２に示す操作パネルに表示される分割レイアウト決定画面例を示す図である。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像処理装置は、図１に示すように、携帯電話、スマートフォン、タブレット端末、ＰＤＡ（Personal Digital Assistant）等の携帯端末１であり、出力した原稿画像を掲示する壁等の掲示面Ｘを撮影するカメラ機能を備えている。また、携帯端末１は、画像処理を行った原稿画像を無線等のネットワークで接続された画像形成装置２から出力させる機能を備えている。画像形成装置２は、プリンター、複写機、ＭＦＰ（Multifunction Peripheral/Printer/Product）等の印刷機能を有する装置である。
【００１１】
図２に示すように、携帯端末１は、操作パネル１１と、撮影部１２と、記憶部１３と、通信部１４と、制御部１５とを備えている。
【００１２】
操作パネル１１は、液晶パネル等の表示部の表面に透明の感圧センサーで構成された操作部が設けられたタッチパネルで構成されている。なお、操作部として、ハードキーを設けるようにしても良い。
【００１３】
撮影部１２は、掲示面Ｘを撮影するデジタルカメラである。撮影部１２によって撮影さされた撮影画像は、操作パネル１１の表示部１１１に表示されると共に、必要に応じて記憶部１３に記憶される。なお、撮影部１２は、オートフォーカス機能のために、被写体（出力した原稿画像を掲示する壁）までの距離を測定する機能を備えているものが望ましい。
【００１４】
記憶部１３は、半導体メモリやＨＤＤ（Hard Disk Drive）等の記憶手段であり、ユーザーによって蓄積された原稿画像が記憶されていると共に、撮影部１２によって撮影された撮影画像が記憶される。
【００１５】
通信部１４は、無線ネットワークを介して、画像形成装置２と各種データを送受信する機能を有する。
【００１６】
制御部１５は、操作パネル１１、撮影部１２、記憶部１３及び通信部１４にそれぞれ接続され、操作パネル１１から入力された所定の指示情報に応じて携帯端末１全体の動作制御を実行する。制御部１５は、ＣＰＵ（Central Processing Unit）、ＲＯＭ（Read Only Memory）、ＲＡＭ（Random Access Memory）等を備えたマイクロコンピュータ等の情報処理部である。ＲＯＭには携帯端末１の動作制御を行うための制御プログラムが記憶されている。制御部１５のＣＰＵは、ＲＯＭに記憶されている制御プログラムを読み出し、制御プログラムをＲＡＭに展開させることで、操作パネル１１から入力された所定の指示情報に応じて端末全体の制御を行う。また、制御部１５は、表示画像制御部１５１、実サイズ算出部１５２、出力情報収集部１５３、分割レイアウト生成部１５４及び出力画像分割部１５５として機能する。
【００１７】
画像形成装置２は、図３を参照すると、操作パネル２１と、原稿読取部２２と、記憶部２３と、画像処理部２４と、印刷部２５と、通信部２７と、制御部２８とを備えている。
【００１８】
操作パネル２１は、液晶パネル等の表示部の表面に透明の感圧センサーで構成された操作部が設けられたタッチパネルで構成されている。なお、操作部として、ハードキーを設けるようにしても良い。
【００１９】
原稿読取部２２は、図示しない原稿給紙装置により給紙されてきた原稿や、ユーザーによってプラテンガラスに載置された原稿に対して光を照射し、その反射光等を受光して原稿画像を読み取るスキャナーである。
【００２０】
記憶部２３は、半導体メモリやＨＤＤ等の記憶手段であり、原稿読取部２２によって読み取られた画像データや、通信部２７によって受信された原稿画像などが蓄積される記憶手段である。
【００２１】
画像処理部２４は、原稿画像に対して所定の画像処理を行う手段である。画像処理部２４では、例えば、拡大縮小処理や、濃度調整、階調調整等の画像改善処理が行われる。
【００２２】
印刷部２５は、インクを用いて原稿画像を記録紙に印刷する印刷手段である。印刷部２５は、例えば、原稿画像に基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。また、印刷部２５は、印刷に使用する消耗品残量としてインク残量を検出する機能を有している。
【００２３】
給紙部２６は、異なるサイズの記録紙を収納可能な複数の記録紙トレイを有し、指定された記録紙を印刷部２５に供給する。また、給紙部２６は、各記録紙トレイに収納された記録紙のサイズをセンサーやガイドの位置によってそれぞれ検出する機能と、各記録紙トレイに収納された記録紙の残量をその積載厚や重量によってそれぞれ検出する機能とを有している。
【００２４】
通信部２７は、無線ネットワークを介して携帯端末１と各種データを送受信する機能を有する。他にも、通信部２７は、ＬＡＮ（Local Area Network）ケーブルを介して外部端末と各種データを送受信する機能を有してもよい。
【００２５】
制御部２８は、操作パネル２１、原稿読取部２２、記憶部２３、画像処理部２４、印刷部２５、給紙部２６及び通信部２７にそれぞれ接続されている。制御部２８は、ＲＯＭ、ＲＡＭ等を備えたマイクロコンピュータ等の情報処理部である。ＲＯＭには画像形成装置２の動作制御を行うための制御プログラムが記憶されている。制御部２８は、ＲＯＭに記憶されている制御プログラムを読み出し、制御プログラムをＲＡＭに展開させることで、装置全体の制御を行う。また、制御部２８は、給紙部２６に収納されている記録紙残量を携帯端末１に通知する記録紙残量通知部２８１、印刷部２５のトナー残量を携帯端末１に通知するインク残量通知部２８２として機能する。
【００２６】
次に、携帯端末１による画像処理動作について図４乃至図      を参照して詳細に説明する。
まず、ユーザーは、操作パネル１１を操作することで、掲示する原稿画像を特定する。なお、原稿画像は、携帯端末１の記憶部１３に限らず、画像形成装置２の記憶部２３やインターネット等のネットワーク上から特定することができる（ステップＳ１）。
【００２７】
次に、携帯端末１のカメラ機能をオンさせ、図１に示すように、出力する原稿画像を掲示する壁面等の掲示面Ｘを、寸法が既知の基準物３と共に、撮影部１２によって撮影する（ステップＳ２）。なお、図１に示す例では、基準物３として既知長の目盛りが刻まれた物差しが用いているが、予め寸法が分かっているものであれば良く、例えば、画像形成装置２を基準物３として用いることもできる。
【００２８】
次に、制御部１５は、表示画像制御部１５１として機能し、図５に示すように、ステップＳ２で撮影された撮影画像４１内に、ステップＳ１で特定された原稿画像４２を重畳させた掲示領域決定画面４０を操作パネル１１に表示させる（ステップＳ３）。掲示領域決定画面４０には、原稿画像４２が移動及び拡縮可能に表示されると共に、原稿画像４２が移動及び拡縮した掲示位置及び出力サイズを決定する決定キー４３が配置されている。表示画像制御部１５１は、掲示領域決定画面４０において、図５に矢印Ａで示すように、ドラッグ操作によって原稿画像４２の移動を受け付けると共に、図５に矢印Ｂで示すように、ピンチ操作によって原稿画像４２の拡縮を受け付ける。なお、操作パネル１１には、撮影部１２によって撮影された撮影画像４１をリアルタイムで表示させても良く、撮影部１２によって撮影された撮影画像４１を記憶部１３に記憶させた後に表示させても良い。
【００２９】
次に、表示画像制御部１５１は、掲示領域決定画面４０において決定キー４３が操作されると、原稿画像４２の掲示位置と出力サイズとを受け付ける（ステップＳ４）。なお、ここで受け付ける掲示位置及び出力サイズは、撮影画像４１内のものである。ユーザーは、ドラッグ操作及びピンチ操作によって所望の掲示位置及び出力サイズに原稿画像４２をレイアウトし、掲示面Ｘに掲示する原稿画像４２のイメージ（掲示位置と出力サイズ）を直感的に確認した後に、決定キー４３を操作する。
【００３０】
次に、制御部１５は実サイズ算出部１５２として機能し、実際に出力する際の出力サイズ（以下、実サイズと称す）を算出する（ステップＳ５）。実サイズ算出部１５２は、撮影画像４１内にある基準物３の寸法を基準にし、撮影画像４１内に配置された原稿画像４２の実サイズを算出する。なお、基準物３の寸法は、予め記憶部１３等に記憶させておいても良く、ユーザーが基準物３を指定して寸法を入力するようにしても良い。また、基準物３を用いることになく、撮影画像４１内の２つの基準点を指定し、この２点間の実測値を入力するようにしても良い。さらに、撮影部１２のオートフォーカス機能等によって、掲示面Ｘとの距離を測定可能な場合、測定した距離と掲示領域決定画面４０における原稿画像４２の画素数とによって実サイズを算出するようにしても良い。
【００３１】
次に、制御部１５は出力情報収集部１５３として機能し、出力情報として画像形成装置２からインク残量、記録紙サイズ及び記録紙残量とを収集する（ステップＳ６）。なお、インク残量及び記録紙残量の収集は、定期的に画像形成装置２に問い合わせたり、画像形成装置２からリアルタイムに通知を受け付けたりすることで、他のユーザーによる画像形成装置２の使用による増減を反映させるようにすると良い。
【００３２】
次に、制御部１５は分割レイアウト生成部１５４として機能し、実サイズと収集した記録紙残量とに基づいて、実サイズを含むように複数の記録紙を並べた分割レイアウト５１を生成し（ステップＳ７）、図６に示すように、生成した分割レイアウト５１を撮影画像４１及び原稿画像４２に重畳させた分割レイアウト決定画面５０を操作パネル１１に表示させる（ステップＳ８）。分割レイアウト決定画面５０には、分割レイアウト５１が移動可能に表示されると共に、記録紙情報表示欄５２と、ダストボックス５３と、縦横切換キー５４と、画像加工キー５５と、色調調整キー５６と、決定キー５７とが配置されている。
【００３３】
分割レイアウト生成部１５４は、例えば、原稿画像４２の１つの頂点を基準にし、同一サイズの記録紙を縦横に並べることで、分割レイアウト５１を生成する。分割レイアウト５１に使用する記録紙は、原稿画像４２全体をカバーする枚数があり、最もサイズが大きいものを選択する。そして、原稿画像４２との面積差は、のり代部として隣り合う記録紙の１部を重ねることで調整する。
【００３４】
記録紙情報表示欄５２には、ステップＳ６で収集した記録紙サイズ及び記録紙残量が表示され、分割レイアウト５１に使用した記録紙が反転表示等で明示されている。なお、図６には、Ａ４サイズの記録紙が分割レイアウト５１に使用されている例が示されている。
【００３５】
そして、分割レイアウト生成部１５４は、記録紙情報表示欄５２において、他のサイズの記録紙への変更指示を受け付ける。記録紙情報表示欄５２で他のサイズがタップされると、分割レイアウト生成部１５４は、タップされたサイズの記録紙を使用した分割レイアウト５１を生成し、分割レイアウト決定画面５０に変更表示させる。
【００３６】
また、分割レイアウト生成部１５４は、分割レイアウト５１に使用する記録紙のサイズと使用枚数との一覧表示を、記録紙情報表示欄５２の代わり若しくは、記録紙情報表示欄５２と共に操作パネル１１に表示させるようにしても良い。分割レイアウト５１に使用する記録紙のサイズと使用枚数とを一覧表示させることで、分割レイアウト５１に使用する記録紙を変更するか否か判断材料をユーザーに提供することができる。
【００３７】
さらに、同一サイズの記録紙で原稿画像４２全体をカバーすることができない場合には、異なるサイズの記録紙を混在させて分割レイアウト５１を生成するようにしても良い。
【００３８】
図７（ａ）には、画像形成装置２の給紙部２６に収納されている記録紙では、原稿画像４２全体をカバーすることができない例が示されている。分割レイアウト生成部１５４は、画像形成装置２から収集される記録紙残量とリンクさせて分割レイアウト５１を生成する。従って、図７（ａ）に示すように、分割レイアウト５１で原稿画像４２全体をカバーすることができない場合がある。このような場合、分割レイアウト生成部１５４は、原稿画像４２を分割レイアウト５１と重畳されている領域でのみ半端な状態で表示し、印刷可能な領域を明確にする表示を行う。これにより、ユーザーは、出力状況を把握して記録紙の補充等の適切な対応をとることができる。なお、原稿画像４２を分割レイアウト５１と重畳されている領域と、それ以外の領域とを濃度等で区別して表示することで、印刷可能な領域を明確にする表示を行っても良い。
【００３９】
図７（ｂ）には、インク残量で原稿画像４２全体を印刷できない例が示されている。分割レイアウト生成部１５４は、画像形成装置２から収集されるインク残量とリンクさせて原稿画像４２を表示させる。インク残量が原稿画像４２を実サイズで印刷する際にインク使用量よりも少ない場合、分割レイアウト生成部１５４は、図７（ｂ）に示すように、原稿画像４２をインク残量で印刷可能な領域（記録紙）でのみ半端な状態で表示し、印刷可能な領域を明確にする表示を行う。これにより、ユーザーは、出力状況を把握してトナーの補充等の適切な対応をとることができる。なお、インク残量で印刷可能な領域と、それ以外の領域とを濃度等で区別して表示することで、印刷可能な領域を明確にする表示を行っても良い。
【００４０】
分割レイアウト生成部１５４は、分割レイアウト決定画面５０において、分割レイアウト５１に対する変更指示を受け付けて実行する（ステップＳ９）。
【００４１】
分割レイアウト生成部１５４は、変更指示として、例えば、分割レイアウト５１の頂点に対するドラッグ操作によって分割レイアウト５１全体の移動を受け付ける。図８（ａ）には、分割レイアウト５１全体を下方向に移動させた例が示されている。このように、分割レイアウト５１を移動可能にすることで、原稿画像４２における記録紙の切れ目の位置を調整することができ、例えば、原稿画像４２内の文字列が記録紙の切れ目できるだけ位置しないようにずらすことができる。これにより、文字列が異なる記録紙に跨って印刷されてしまうことをできるだけ防止することができる。
【００４２】
また、分割レイアウト生成部１５４は、変更指示として、図８（ｂ）に矢印Ｃに示すように、ユーザーによって指示された記録紙を分割レイアウト５１から削除する削除指示を受け付ける。分割レイアウト生成部１５４は、例えば、記録紙の辺に対するドラッグ操作によって記録紙の移動を受け付け、記録紙のダストボックス５３への移動によって削除指示を受け付ける。これにより、原稿画像４２において印刷を必要しない箇所（例えば、空白の領域等）を簡単に削除することができる。
【００４３】
さらに、分割レイアウト生成部１５４は、変更指示として、図９（ａ）に矢印Ｄに示すように、分割レイアウト５１の回転を受け付ける。この場合、原稿画像４２内の文字列が斜めに配置されているケースでも、文字列の角度に合わせて記録紙の切れ目を配置することができ、文字列が異なる記録紙に跨って印刷されてしまうことをできるだけ防止することができる。
【００４４】
なお、分割レイアウト生成部１５４は、ユーザーもしくは自動抽出によって、原稿画像４２内における文字列や絵の指定を重要な指定領域として受け付け、指定領域が、分割レイアウト５１において複数の記録紙に跨る場合、指定箇所が記録紙に跨って印刷されないように、自動的に、分割レイアウト５１に使用する前記記録紙のサイズを変更するようにしても良い。また、指定領域が、分割レイアウト５１において複数の記録紙に跨る場合、分割レイアウト生成部１５４は、指定箇所が記録紙に跨って印刷されないように、自動的に、分割レイアウト５１を移動させるようにしても良い。これにより、重要な指定領域が異なる記録紙に跨って印刷されてしまうことをできるだけ防止することができる。
【００４５】
また、制御部１５を原稿画像４２内における文字列の配置やその角度を検出する文字例検出部として機能させ、分割レイアウト生成部１５４は、文字例検出部の検出結果に基づいて、分割レイアウト５１を自動で移動及び回転させるようにしても良い。
【００４６】
分割レイアウト決定画面５０において、縦横切換キー５４が操作されると、分割レイアウト生成部１５４は、図９（ｂ）に示すように、記録紙の縦横変更した分割レイアウト５１を生成する。分割レイアウト生成部１５４は、通常、原稿画像４２の縦横と同じ向きの記録紙で分割レイアウト５１を生成するように設定されている。そこで、縦横切換キー５４を設けることで、ユーザーは、記録紙の向きが異なる分割レイアウト５１を簡単に確認することができる。
【００４７】
分割レイアウト決定画面５０において、画像加工キー５５が操作されると、分割レイアウト生成部１５４は、原稿画像４２に対する各種編集指示を受け付ける。分割レイアウト生成部１５４は、例えば、原稿画像４２内の領域を指定した移動、回転、拡大縮小、削除等を受け付け、指定された領域の移動、回転、拡大縮小、削除等を実行する。これにより、生成された分割レイアウト５１に応じて原稿画像４２における文字列や画像の配置を調整することができる。
【００４８】
なお、指定領域が、分割レイアウト５１において複数の記録紙に跨る場合、分割レイアウト生成部１５４は、ユーザーの許可を得た後に、指定箇所が記録紙に跨って印刷されないように、自動的に原稿画像４２内における指定領域の配置を移動させるようにしても良い。これにより、重要な指定領域が異なる記録紙に跨って印刷されてしまうことをできるだけ防止することができる。
【００４９】
分割レイアウト決定画面５０において、色調調整キー５６が操作されると、分割レイアウト生成部１５４は、原稿画像４２に対する色調調整指示を受け付ける。分割レイアウト生成部１５４は、例えば、原稿画像４２に対するカラー調整を受け付け、カラー調整を実行する。なお、分割レイアウト生成部１５４は、掲示面Ｘの濃淡に応じて、原稿画像４２の濃淡を自動で調整するようにしても良い。この場合、例えば、撮影画像４１における掲示面Ｘの濃淡レベルを閾値と比較し、掲示面Ｘの濃淡レベルが閾値よりも濃い場合、原稿画像４２の濃淡レベルが濃くなる方向に調整する。
【００５０】
分割レイアウト決定画面５０において、決定キー５７が操作されると、制御部１５は出力画像分割部１５５として機能する。出力画像分割部１５５は、原稿画像４２を実サイズに拡大した後（ステップＳ１０）、分割レイアウト５１に基づく領域に分割し（ステップＳ１１）、画像処理動作を終了させる。分割された原稿画像４２は、画像形成装置２に送信され、画像形成装置２によって記録紙に印刷される。
【００５１】
なお、出力画像分割部１５５は、分割画像のそれぞれについて白黒／カラーの自動判別を行い、分割画像の印刷を判別した白黒もしくはカラーで実行させるようしても良い。これにより、原稿画像４２がカラーであっても、分割領域の一部が白黒である場合、印刷コストを削減することができる。
【００５２】
以上説明したように、本実施の形態によれば、複数の記録紙にそれぞれ印刷する分割画像に原稿画像４２を分割する画像処理装置であって、原稿画像４２を掲示する掲示面Ｘを撮影する撮影部１２と、撮影部１２で撮影された撮影画像４１を表示する表示部である操作パネル１１と、撮影画像４１内に原稿画像４２を移動及び拡縮可能に重畳させた掲示領域決定画面４０を操作パネル１１に表示させ、原稿画像４２の出力サイズを受け付ける表示画像制御部１５１と、出力サイズに基づいて原稿画像４２を印刷する際の実サイズを算出する算出部である実サイズ算出部１５２と、原稿画像４２の印刷を行わせる画像形成装置２から出力情報として記録紙の情報を収集する収集部である出力情報収集部１５３と、実サイズ及び出力情報に基づき、実サイズを含むように複数の記録紙を並べた分割レイアウト５１を生成し、生成した分割レイアウト５１を原稿画像４２に重畳した分割レイアウト決定画面５０を操作パネル１１に表示させる生成部である分割レイアウト生成部１５４と、分割レイアウト５１に基づき、原稿画像４２を分割画像に分割する分割部である出力画像分割部１５５とを備えている。
この構成により、ユーザーは、原稿画像４２を掲示した際のイメージを掲示領域決定画面４０で決定するだけで、直感的に出力サイズを算出することができ、所望サイズの掲示物を印刷することができる。
【００５３】
さらに、本実施の形態において、出力情報収集部１５３は、出力情報として記録紙の記録紙残量を収集し、分割レイアウト生成部１５４は、記録紙残量内で分割レイアウトを生成する。
この構成により、ユーザーは、画像形成装置２に収納されている記録紙の記録紙残量を確認でき、そのまま印刷を実行するか、記録紙を補充するかを判断することができる。
【００５４】
さらに、本実施の形態において、分割レイアウト生成部１５４は、出力情報収集部１５３によって収集された記録紙のサイズと記録紙残量と操作パネル１１に記録紙情報表示欄５２として一覧表示させる
この構成により、分割レイアウト５１に使用する記録紙を変更するか否か判断材料をユーザーに提供することができる。
【００５５】
さらに、本実施の形態において、分割レイアウト生成部１５４は、分割レイアウト５１に使用する記録紙のサイズと使用枚数との一覧表示を操作パネル１１に表示させる。
この構成により、分割レイアウト５１に使用する記録紙を変更するか否か判断材料をユーザーに提供することができる。
【００５６】
さらに、本実施の形態において、記録紙残量内で実サイズを含む分割レイアウト５１が生成不能である場合、分割レイアウト生成部１５４は、原稿画像４２を分割レイアウト５１と重畳されている領域を明確にする表示を行う。
この構成により、記録紙残量で印刷を実行した際の半端な印刷イメージを確認することができ、そのまま印刷を実行するか、記録紙を補充するかを判断することができる。
【００５７】
さらに、本実施の形態において、出力情報収集部１５３は、出力情報として印刷に使用するインク残量を消耗品残量として収集し、分割レイアウト生成部１５４は、原稿画像４２を消耗品残量で印刷可能な領域でのみで表示させる。
この構成により、インク残量で印刷を実行した際の半端な印刷イメージを確認することができ、そのまま印刷を実行するか、インク（トナー）を補充するかを判断することができる。
【００５８】
さらに、本実施の形態において、分割レイアウト生成部１５４は、分割レイアウト決定画面５０において分割レイアウト５１に対する変更指示を受け付け、変更指示に基づいて若しくは、自動的に、分割レイアウト５１の変更を実行し、変更した分割レイアウト５１を原稿画像４２に重畳して操作パネル１１に表示させ、出力画像分割部１５５は、変更された分割レイアウト５１に基づき、原稿画像４２を分割画像に分割する。
この構成により、原稿画像４２内の文字列や画像の配置に合わせて、分割レイアウト５１を変更することができる。分割レイアウト５１全体の移動により、原稿画像４２内の文字列が記録紙の切れ目できるだけ位置しないようにずらすことができ、文字列が異なる記録紙に跨って印刷されてしまうことをできるだけ防止することができる。記録紙を分割レイアウト５１から削除することで、原稿画像４２において印刷を必要しない箇所（例えば、空白の領域等）を簡単に削除することができる。分割レイアウト５１の回転により、文字列の角度に合わせて記録紙の切れ目を配置することができ、文字列が異なる記録紙に跨って印刷されてしまうことをできるだけ防止することができる。
【００５９】
さらに、本実施の形態において、分割レイアウト生成部１５４は、ユーザーもしくは自動抽出によって指定された原稿画像４２内の指定領域が、分割レイアウト５１において複数の記録紙に跨る場合、分割レイアウト５１に使用する記録紙のサイズを変更する。
この構成により、重要な指定領域が異なる記録紙に跨って印刷されてしまうことをできるだけ防止することができる。
【００６０】
さらに、本実施の形態において、分割レイアウト生成部１５４は、ユーザーもしくは自動抽出によって指定された原稿画像４２内の指定領域が、分割レイアウト５１において複数の記録紙に跨る場合、分割レイアウト５１を移動する。
この構成により、重要な指定領域が異なる記録紙に跨って印刷されてしまうことをできるだけ防止することができる。
【００６１】
さらに、本実施の形態において、分割レイアウト生成部１５４は、分割レイアウト決定画面５０において原稿画像４２に対する編集指示を受け付け、編集指示に基づいて原稿画像４２の編集を実行し、編集した原稿画像４２に分割レイアウト５１を重畳して操作パネル１１に表示させ、出力画像分割部１５５は、分割レイアウト５１に基づき、編集された原稿画像４２を分割画像に分割する。
この構成により、分割レイアウト５１に合わせて、原稿画像４２内の文字列や画像の配置を変更することができる。
【００６２】
さらに、本実施の形態において、分割レイアウト生成部１５４は、ユーザーもしくは自動抽出によって指定された原稿画像４２内の指定領域が、分割レイアウト５１において複数の記録紙に跨る場合、ユーザーの許可を得た後に、原稿画像４２内の指定領域の配置を移動させる。
この構成により、重要な指定領域が異なる記録紙に跨って印刷されてしまうことをできるだけ防止することができる。
【００６３】
さらに、本実施の形態において、分割レイアウト生成部１５４は、分割レイアウト決定画面５０において原稿画像４２に対する色調調整指示を受け付け、色調調整指示に基づいて原稿画像４２の色調調整を実行し、色調調整した原稿画像４２に分割レイアウト５１を重畳して操作パネル１１に表示させ、出力画像分割部１５５は、分割レイアウト５１に基づき、編集された原稿画像４２を分割画像に分割する。
この構成により、掲示面Ｘに応じて、原稿画像４２の色調を調整することができる。
【００６４】
さらに、本実施の形態において、出力画像分割部１５５は、分割画像のそれぞれについて白黒／カラーの自動判別を行う。
この構成により、原稿画像４２がカラーであっても、分割領域の一部が白黒である場合、印刷コストを削減することができる。
【００６５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００６６】
１  携帯端末
２  画像形成装置
３  基準物
１１  操作パネル
１２  撮影部
１３  記憶部
１４  通信部
１５  制御部
２１  操作パネル
２２  原稿読取部
２３  記憶部
２４  画像処理部
２５  印刷部
２６  給紙部
２７  通信部
２８  制御部
４０  掲示領域決定画面
４１  撮影画像
４２  原稿画像
５０  分割レイアウト決定画面
５１  分割レイアウト
５２  記録紙情報表示欄
５３  ダストボックス
５４  縦横切換キー
５５  画像加工キー
５６  色調調整キー
５７  決定キー
１５１  表示画像制御部
１５２  実サイズ算出部
１５３  出力情報収集部
１５４  分割レイアウト生成部
１５５  出力画像分割部
２８１  記録紙残量通知部
２８２  インク残量通知部
Ｘ  掲示面
【図１】
2018074444.tif 000003
【図２】
2018074444.tif 000004
【図３】
2018074444.tif 000005
【図４】
2018074444.tif 000006
【図５】
2018074444.tif 000007
【図６】
2018074444.tif 000008
【図７】
2018074444.tif 000009
【図８】
2018074444.tif 000010
【図９】
2018074444.tif 000011